(57)【特許請求の範囲】
【請求項１】
針葉樹の枝についている葉を枝から分離する枝葉分離装置において、
回転ドラムと、
上記回転ドラムの外周に取り付けられるワイヤロープと、
上記回転ドラムを駆動する駆動手段とを備えてなり、
上記ワイヤロープは、上記回転ドラムを回転したときこの回転方向に対向して起立する弧状の掻き取り部を有する
ことを特徴とする針葉樹用枝葉分離装置。
【請求項２】
上記ワイヤロープは、上記回転ドラムの軸方向に複数設けられて列をなし、
上記ワイヤロープの列は回転方向の周方向に複数等間隔に設けられる
ことを特徴とする請求項１に記載の針葉樹用枝葉分離装置。
【請求項３】
上記回転ドラムは、柱状の回転ドラム本体と、上記回転ドラム本体の軸方向に沿って取り付けられる取り付け片とを備えてなり、
上記取り付け片は、上記回転ドラム本体との間に隙間を有する架設部を有し、
上記ワイヤロープの両端は、上記架設部に穿設される一対の取り付け孔にそれぞれ挿通され、上記架設部の離間側で束ねられる
ことを特徴とする請求項１または請求項２に記載の針葉樹用枝葉分離装置。
【請求項４】
上記取り付け片は、上記回転ドラムの周方向に等間隔に複数設けられ、
上記取り付け片のうち隣り合う取り付け片に形成されるそれぞれの上記取り付け孔が上記回転ドラムの周方向に重ならないようにして配置される
ことを特徴とする請求項３に記載の針葉樹用枝葉分離装置。
【発明の詳細な説明】
【技術分野】
【０００１】
この発明は、針葉樹の枝についている葉を枝から分離する枝葉分離装置の改良に関する。
【背景技術】
【０００２】
針葉樹の枝についている葉を枝から分離する枝葉分離装置は、例えば、特許文献１に開示されるように、相対向して逆方向に回転する上下一対の回転ドラムと、これら回転ドラムの外周に取り付けられる脱葉ブラシとを備えてなる。
【０００３】
特許文献１に開示される針葉樹用枝葉分離装置において、上記脱葉ブラシのブラシ毛は、ナイロン等の合成樹脂からなり、葉がついた枝の長さ方向に対して交差する方向に沿って配置される。
【０００４】
そして、上記枝葉分離装置は、葉がついた枝を回転する上下の回転ドラムの間に挿入することにより、脱葉ブラシで葉をこそぎ取るようにして枝から分離する。
【先行技術文献】
【特許文献】
【０００５】
【特許文献１】特開２００２−０１７１８２号公報
【発明の概要】
【発明が解決しようとする課題】
【０００６】
しかしながら、上記従来の針葉樹用枝葉分離装置において、脱葉ブラシで葉をこそぎ取るようにして枝から分離するため処理時間が長く、脱葉ブラシが消耗品であるため針葉樹用枝葉分離装置の運用コストがかかる。
【０００７】
そこで、本発明の目的は、従来の針葉樹用枝葉分離装置よりも処理時間を短縮することが可能で、運用コストを低減することが可能な針葉樹用枝葉分離装置を提供することである。
【課題を解決するための手段】
【０００８】
上記課題を解決するための手段は、針葉樹の枝についている葉を枝から分離する枝葉分離装置において、回転ドラムと、上記回転ドラムの外周に取り付けられるワイヤロープと、上記回転ドラムを駆動する駆動手段とを備えてなり、上記ワイヤロープは、上記回転ドラムを回転したときこの回転方向に対向して起立する弧状の掻き取り部を有することである。
【発明の効果】
【０００９】
本発明によれば、円弧状のワイヤロープを回転ドラムに取り付けて回転することにより、ワイヤロープがその内側に枝が入った状態でしなり、枝についている葉をワイヤロープの凹凸で掻き取るようにして枝から分離する効果を期待できる。
【００１０】
また、ワイヤロープの掻き取り部が弧状であるため、枝に対して垂直、水平の方向に作用することが可能となり、従来よりも処理時間を短縮することが可能となる。
【００１１】
また、ワイヤロープは、従来の脱葉ブラシよりも耐久性があるため、針葉樹用枝葉分離装置の運用コストを従来よりも低減することが可能となる。
【図面の簡単な説明】
【００１２】
【図１】本発明の一実施の形態に係る針葉樹用枝葉分離装置を支持台に設置し、回転ドラムを回転している状態を示す縦断面図である。
【図２】本発明の一実施の形態に係る針葉樹用枝葉分離装置の回転ドラムをケースで覆った状態を示す斜視図である。
【図３】本発明の一実施の形態に係る針葉樹用枝葉分離装置の回転ドラム及びワイヤロープを示す側面図である。
【図４】本発明の一実施の形態に係る針葉樹用枝葉分離装置の回転ドラムを部分的に拡大して示す縦断面図である。
【図５】本発明の一実施の形態に係る針葉樹用枝葉分離装置のワイヤロープを回転ドラムに取り付けた状態を拡大して示す斜視図である。
【発明を実施するための形態】
【００１３】
以下に本発明の一実施の形態を示す針葉樹用枝葉分離装置について、図面を参照しながら説明する。いくつかの図面をいくつかの図面を通して付された同じ符号は、同じ部品かまたはそれに対応する部品を示す。
【００１４】
図１に示すように、本実施の形態に係る針葉樹用枝葉分離装置Ａは、針葉樹の枝についている葉を枝から分離するものであり、回転ドラム１と、この回転ドラム１の外周に取り付けられるワイヤロープ２と、上記回転ドラム１を駆動する駆動手段３とを備えてなり、上記ワイヤロープ２は、上記回転ドラム１を回転したときこの回転方向に対向して起立する弧状の掻き取り部２０を有する。
【００１５】
以下に詳細に説明すると、本実施の形態に係る針葉樹用枝葉分離装置Ａは、トドマツ、ヒノキ、スギ等の針葉樹の葉から目的成分を抽出するための作業工程内において利用され、この作業工程は、採取工程、分離工程、破砕工程、抽出工程からなる。
【００１６】
そして、上記採取工程で針葉樹から葉のついた枝を採取し、分離工程で採取された葉のついた枝から葉を分離し、破砕工程で分離された葉を破砕してチップにし、抽出工程でチップから目的成分を抽出する。
【００１７】
つまり、本実施の形態に係る針葉樹用枝葉分離装置Ａは、上記分離工程において利用され、葉を枝から分離して葉のみから目的成分を抽出することが可能となり、葉が枝についた状態で目的成分を抽出する場合と比較して効率的で不純物の少ない抽出が可能となる。例えば、針葉樹の香りの主成分であるモノテルペンは、葉に多く存在しており、このモノテルペンを蒸留抽出する際に有効である。
【００１８】
本発明に係る針葉樹用枝葉分離装置Ａは、上記したように、回転ドラム１と、この回転ドラム１に取り付けられるワイヤロープ２と、上記回転ドラム１を駆動する駆動手段３とを備え、支持台Ｂ上に設置される。
【００１９】
図２に示すように、この支持台Ｂには、ワイヤロープ２が取り付けられた回転ドラム１を覆い、周囲が透明なケースＣが設置される。このケースＣには枝を挿入するための挿入口４が設けられ、この挿入口４から葉のついた枝を挿入して枝葉を分離し、このケースＣで分離された葉が飛び散ることを防止している。
【００２０】
図３に示すように、上記回転ドラム１は、円筒または近似円筒状に形成される回転ドラム本体１０と、この回転ドラム本体１０の外周面に軸方向に沿って取り付けられる１２本の取り付け片１１と、上記回転ドラム本体１０の軸心部を貫通した状態に固定される回転軸１４とを備えてなる。
【００２１】
図１に示すように、この回転軸１４の両端は、支持台Ｂ上に固定される一対の支持部材５，５に回転可能に軸支され、この回転軸１４の回転に伴い、回転ドラム本体１０及びワイヤロープ２が回転する。
【００２２】
上記取り付け片１１は、長尺な板状部材であり、図４に示すように、その両端部１１ａ，１１ｂが回転ドラム本体１０の両端部にボルト固定され、両端部１１ａ，１１ｂの間に形成される架設部１１ｃが回転ドラム本体１０から離間して、架設部１１ｃと回転ドラム本体１０との間に隙間１３が形成される。
【００２３】
また、上記架設部１１ｃには上下に貫通する取り付け孔１２が長手方向に沿って複数穿設される。本実施の形態において、隣り合う一対の取り付け孔１２，１２を利用して一本のワイヤロープ２が取り付けられる（図１）。
【００２４】
また、本実施の形態において、隣り合う取り付け片１１，１１に設けられる取り付け孔１２の数が異なり、４対（８個）の取り付け孔１２，１２・・・が設けられる取り付け片１１と、３対（６個の取り付け孔）１２，１２・・・が設けられる取り付け片１１とが周方向に交互に配置されている（図１）。
【００２５】
そして、隣り合う取り付け片１１，１１に形成されるそれぞれの取り付け孔１２，１２・・・が周方向に重ならないようにして配置される（図１）。
【００２６】
上記取り付け片１１に取り付けられるワイヤロープ２は、図５に示すように、硬鋼線をより合わせて作ったロープであり、表面に凹凸が形成される。
【００２７】
また、ワイヤロープ２の両端部は、対となる取り付け孔１２，１２にそれぞれ挿通し、取り付け片１１の裏面側に突出して束ねられる。ワイヤロープ２の掻き取り部２０は、取り付け片１１の表面側に突出して弧状となり、回転ドラム１を回転したとき、図１に示すように、各ワイヤロープ２，２・・・が遠心力で放射状に広がり、回転ドラム１の回転方向に対向して起立する。
【００２８】
ところで、回転ドラム１を駆動する駆動手段３は、モータシャフト３０を有するモータ３１と、モータシャフト３０の先端に取り付けられるモータ側プーリ３２と、回転軸１４の図１中右端に取り付けられる回転ドラム側プーリ３３と、モータ側プーリ３２の回転を回転ドラム側プーリ３３に伝えるベルト３４とを備えてなる。
【００２９】
そして、本実施の形態において、モータシャフト３０の回転速度を適宜調整することが可能であり、枝から葉を分離する樹木の種類によって任意に回転ドラム１の回転速度を変更する。
【００３０】
つまり、本実施の形態に係る針葉樹用枝葉分離装置Ａは、ワイヤロープ２の掻き取り部２０が弧状に形成され、回転ドラム１の回転方向に対向して起立するため、掻き取り部２０の内側に枝が入った状態でワイヤロープ２がしなり、その枝についている葉をワイヤロープ２の凹凸で掻き取るようにして枝から分離することが可能となる。
【００３１】
また、本実施の形態において、ワイヤロープ２の掻き取り部２０が弧状であるため、枝に対して垂直、水平の方向に作用することが可能となり、従来よりも処理時間を短縮することが可能となる。
【００３２】
また、ワイヤロープ２は、従来の脱葉ブラシよりも耐久性があるため、針葉樹用枝葉分離装置Ａの運用コストを従来の枝葉分離装置よりも低減することが可能となる。
【００３３】
また、本実施の形態において、隣り合う取り付け片１１に形成されるそれぞれの取り付け孔１２が回転ドラム１の周方向に重ならないようにして配置され、これらの取り付け孔１２を介してワイヤロープ２が取り付けられる。
【００３４】
したがって、ワイヤロープ２の取り付けが容易に可能となると共に、回転ドラム１の周方向に形成されるワイヤロープ２の無い隙間を少なくすることが可能となり、針葉樹用枝葉分離装置Ａは、効率よく枝から葉を分離することが可能となる。
【００３５】
以上、本発明の好ましい実施の形態を詳細に説明したが、特許請求の範囲から逸脱することなく改造、変形及び変更を行うことができることは理解すべきである。
【００３６】
例えば、上記実施の形態において、ワイヤロープ２の両端部をそれぞれ取り付け孔１２，１２に挿通して取り付け片１１の裏面で束ねることによりワイヤロープ２を回転ドラム１に取り付けるとしたが（図５）、ワイヤロープ２の取り付け方法はこの限りではなく、適宜方法を選択することが可能である。
【００３７】
また、上記実施の形態において、ワイヤロープ２を回転ドラム１の軸方向に４本または３本列設し（図１）、回転ドラム１の周方向に１２列設けた（図３）がこの限りではなく、ワイヤロープ２の本数及び列数は、適宜選択することが可能である。
【００３８】
また、上記実施の形態において、回転ドラム１の回転方向は、ケースＣ（図２）の挿入口４側に向けて回転するとしても、この反対側に向けて回転するとしても良い。
【００３９】
また、本実施の形態において、挿入口４は、回転ドラム１の軸に対向して設けられ、葉のついた枝を回転ドラム１の軸に対して垂直に挿入することにより枝葉を分離するが、挿入口４の位置を変更して回転ドラム軸１の軸と平行に葉のついた枝を挿入しても良い。
【００４０】
また、本発明に係る針葉樹用枝葉分離装置Ａの用途は、針葉樹の枝から葉を分離するのみではなく、ワイヤロープ２の凹凸を利用して竹の樹皮を剥ぐことに利用することも可能である。
【符号の説明】
【００４１】
Ａ  針葉樹用枝葉分離装置
Ｂ  支持台
Ｃ  ケース
１  回転ドラム
２  ワイヤロープ
３  駆動手段
４  挿入口
５  支持部材
１０  回転ドラム本体
１１  取り付け片
１１ｃ  架設部
１２  取り付け孔
１４  回転軸
２０  掻き取り部
３０  モータシャフト
３１  モータ
３２  モータ側プーリ
３３  回転ドラム側プーリ
【図１】
0005798769.tif 000002
【図２】
0005798769.tif 000003
【図３】
0005798769.tif 000004
【図４】
0005798769.tif 000005
【図５】
0005798769.tif 000006